(57)【要約】      （修正有）【課題】簡単な構成で音の変化を自由に付けることを可能にし、また、デザイン上の制約を受けることなく、弦楽器本体の構造を簡単にし、さらに、ステージ上において、ノイズを発生させることなく、弦楽器本体を簡単に交換できるようにする電気弦楽器及び電気弦楽器用のピックアップ装置を提供する。【解決手段】電気弦楽器は、複数本の金属弦１２を張設してなる弦楽器本体１と、弦楽器本体１と分離され、弦楽器本体１と独立して移動可能としたピックアップ部２と、ピックアップ部２に接続されたケーブル部３とを備える。【選択図】図１
0003190159.tif 000002
【実用新案登録請求の範囲】
【請求項１】
複数本の金属弦(12)を張設してなる弦楽器本体(1)と、
前記弦楽器本体(1)と分離され、前記弦楽器本体(1)と独立して移動可能としたピックアップ部(2)と、
前記ピックアップ部(2)に接続されたケーブル部(3)と
を備えることを特徴とする電気弦楽器。
【請求項２】
請求項１に記載の電気弦楽器であって、さらに
前記ピックアップ部(2)を使用者の手に装着するための装着具(4)を備えることを特徴とする電気弦楽器。
【請求項３】
請求項２に記載の電気弦楽器であって
前記装着具(4)が、ゴムバンド(4A)、脱着バンド(4B)、固定部(25)を有する手袋(4C)のいずれかであることを特徴とする電気弦楽器。
【請求項４】
請求項１から３のいずれか一に記載の電気弦楽器であって、
前記弦楽器本体(1)が、ピックアップ、ピックアップの切り替えスイッチ、トーンの調節ツマミ、ボリュームの調節ツマミ、ケーブル部の入力端子の挿入部のいずれか又は全てを含まないことを特徴とする電気弦楽器。
【請求項５】
電気弦楽器用のピックアップ装置であって、
ピックアップ部(2)と、
前記ピックアップ部(2)に接続されたケーブル部(3)と
前記ピックアップ部(2)を使用者の手に装着するための装着具(4)と
を備えることを特徴とする電気弦楽器用のピックアップ装置。
【請求項６】
請求項５に記載の電気弦楽器用のピックアップ装置であって、
前記装着具(4)が、ゴムバンド(4A)、脱着バンド(4B)、固定部(25)を有する手袋(4C)のいずれかであることを特徴とする電気弦楽器用のピックアップ装置。
【考案の詳細な説明】
【技術分野】
【０００１】
本考案は、弦の振動をピックアップで検出して出力する電気弦楽器とこの電気弦楽器に使用されるピックアップ装置に関し、とくに、演奏時において、ピックアップを弦楽器本体に固定することなく、演奏者が手に持って操作できるハンディータイプのピックアップを備える電気弦楽器及び電気弦楽器用のピックアップ装置に関する。
【背景技術】
【０００２】
エレクトリックギターやエレクトリックベース等の電気弦楽器は、複数の金属弦を張った弦楽器本体にピックアップを固定しており、このピックアップで金属弦の振動を電気信号として検出して出力している。ピックアップは、金属弦の振動を電磁誘導による誘導電流として検出し、この誘導電流による電気信号を出力する。ピックアップから出力される電気信号は、アンプやチューナーで増幅して音として出力される。
【０００３】
従来のエレクトリックギターの一例を図８に示す。図に示すエレクトリックギター８０は、一体的に連結されたボディー９０とネック９１とを備えており、ボディー９０から突出して細長いネック９１を固定している。エレクトリックギター８０は、一般的に、ネック９１のナット９５からボディー８０のブリッジ９６にかけて６本の金属弦９２を張設している。さらに、これらの弦９２の振動を電気信号として検出するために、ボディー９０には、張設された弦９２と対向する位置にピックアップ８２を固定している。ピックアップ８２は、金属弦９２の振動を電磁誘導による誘導電流として検出するもので、通常のエレクトリックギターにおいては、ブリッジ側からネック側にかけて複数個（２〜３個）が互いに離して固定されている。ピックアップ８２で検出される音は、固定される場所によって音質が異なり、ネック９１に近くなるほど（フロント側）、ソフトで甘い音になり、ブリッジ９６に近くなるほど（リア側）、硬くてシャープな音になる。通常、エレクトリックギター８０には、これ等のピックアップを選択するピックアップセレクターと呼ばれる切り替えスイッチ９８が設けられており、演奏者の好みに応じてこの切り替えスイッチ９８を切り換えて、出力される音質を変更できるようになっている。また、通常のエレクトリックギター８０においては、出力される音のトーンやボリュームを調節するための複数の調節ツマミ９９がボディー９０に設けられており、演奏者がこの調節ツマミ９９を操作することで音のトーンやボリュームをコントロールできる構造となっている。
【先行技術文献】
【特許文献】
【０００４】
【特許文献１】特開平７−３１９４６９号公報
【特許文献２】特開平８−２０２３６６号公報
【特許文献３】特開２００９−２２２８４３号公報
【考案の概要】
【考案が解決しようとする課題】
【０００５】
従来のエレクトリックギターは、切り替えスイッチを切り換えることで、固定されたピックアップを選択して出力される音質を変更できる。ただ、ピックアップの位置が決められているため、音の変化を自由に付けられないという問題があった。とくに、演奏中においては、任意のタイミングで切り替えスイッチを自由に切り替えることが困難であった。また、ボディーに設けられた調節ツマミを操作して音のトーンを調節できるが、調節ツマミを指で操作しながらの演奏は簡単ではない。さらに、調節ツマミによるトーンの調節では、切り替えスイッチによる調節ほど音質を変更できない。さらにまた、エレキギターの形状等についても、複数のピックアップを配置しなければならないため、デザイン上の制約を受けるという問題もあった。例えば、指盤を配置する際、フロント側のピックアップがあるため、高音部の指盤の配置に制約を受けていた。
【０００６】
また、従来のエレクトリックギターでは、演奏中における音量の調節が自由にできない問題点があった。通常、ギターのボディーにはボリューム調節用のツマミが設けられているが、演奏中に一音一音の音の大小をコントロールするのはかなりの熟練が要求され、誰にでも簡単にはできない。実際、多くの演奏者は、このボリューム用の調節ツマミを最大に固定して、弦を弾く強弱でのみ表現している。一方で、エレクトリックギターでは、ピックアップで検出された電気信号は、シールドと呼ばれる接続ケーブルを介してギター本体から出力されるが、ギター本体の出力側には、エフェクターと呼ばれる音質や音色を変換する装置やボリュームペダルを接続することができる。ボリュームペダルの操作は、調節ツマミの操作に比べて比較的簡単ではあるものの、ボリュームペダルを使用すると別部材が必要になるという問題があった。また、ボリュームペダルの近傍での演奏を余儀なくされるため、ライブ等においては、ステージを自由に移動しながらの演奏が抑制される問題点もあった。
【０００７】
さらに、従来のエレクトリックギターでは、ステージ上でギター本体の交換を簡単にできない問題点があった。例えば、ライブ等においては、楽曲に応じて複数のギターを交換しながら演奏することがあるが、この場合、従来のエレクトリックギターでは、ギター本体を交換するだけでなく、ギター本体に接続された接続ケーブルを差し替える必要があった。このとき、接続部から大きなノイズが発生することが多く、観客に不快な思いをさせる原因となる。このため、接続ケーブルを差し替えることなくギター本体を交換できると、ステージ上でのライブ演奏をより快適にできる。
【０００８】
本考案は、従来のこのような問題点を解決するためにされたものである。本考案の主な目的は、簡単な構成で音の変化を自由に付けることが可能な電気弦楽器及び電気弦楽器用のピックアップ装置を提供することにある。
また、本考案の他の目的は、デザイン上の制約を受けることなく、弦楽器本体の構造を簡単にできる電気弦楽器及び電気弦楽器用のピックアップ装置を提供することにある。
さらに、本考案の他の目的は、ステージ上において、ノイズを発生させることなく、弦楽器本体を簡単に交換できる電気弦楽器及び電気弦楽器用のピックアップ装置を提供することにある。
【課題を解決するための手段】
【０００９】
本考案の電気弦楽器は、複数本の金属弦１２を張設してなる弦楽器本体１と、前記弦楽器本体１と分離され、前記弦楽器本体１と独立して移動可能としたピックアップ部２と、前記ピックアップ部２に接続されたケーブル部３とを備えることを特徴とする。
【００１０】
さらに、本考案の電気弦楽器は、前記ピックアップ部２を使用者の手に装着するための装着具４を備えることができる。
【００１１】
さらに、本考案の電気弦楽器は、前記装着具４を、ゴムバンド４Ａ、脱着バンド４Ｂ、固定部２５を有する手袋４Ｃのいずれかとすることができる。
【００１２】
さらにまた、本考案の電気弦楽器は、弦楽器本体１が、ピックアップ、ピックアップの切り替えスイッチ、トーンの調節ツマミ、ボリュームの調節ツマミ、ケーブル部の入力端子の挿入部のいずれか又は全てを含まない構造とすることができる。
【００１３】
本考案のピックアップ装置は、電気弦楽器用のピックアップ装置であって、ピックアップ部２と、前記ピックアップ部２に接続されたケーブル部３と、前記ピックアップ部２を使用者の手に装着するための装着具４とを備えることを特徴とする。
【００１４】
本考案のピックアップ装置は、前記装着具４を、ゴムバンド４Ａ、脱着バンド４Ｂ、固定部２５を有する手袋４Ｃのいずれかとすることができる。
【考案の効果】
【００１５】
本考案の電気弦楽器及び電気弦楽器用のピックアップ装置によれば、ピックアップを弦楽器本体から分離したことで、ピックアップの配置の柔軟性が高まり、演奏者がピックアップを手で持ち、ピックアップの位置や弦との距離を演奏中に任意に変化させることができるので、様々な音の変化を容易に行うことが可能となる。本考案によると、音量を調整したい場合には、ピックアップを弦から離したり、弦に近づけたりすることで、弦とピックアップとの距離を任意に設定して音量を自由にコントロールできる。このため、音の大小による細かいビブラートやバイオリン奏法などを容易に行うことができ、これにより高度で繊細な音楽表現が可能になる。また、音質を調整したい場合には、ピックアップの位置を移動させて、ピッキングの位置を調整することで、任意の音色で演奏することが可能になる。例えば、ブリッジに近い位置で弾くことで硬くてシャープな音にでき、反対にブリッジから遠い位置で弾けば、柔らかくてソフトな音にできる。とくに、従来の電気弦楽器ではありえないない位置、すなわち、指盤上等にピックアップを移動させて音を検出することで、従来の電気弦楽器では出るはずのない、柔らかい音色を作り出すことも可能になる。
【００１６】
また、本考案によれば、弦楽器本体にはピックアップを固定する必要はないので、切り替えスイッチや調節ツマミ等の部品も省略できる。これにより、デザイン等に制約を受けることなく、また、弦楽器本体の製造工程においても、ピックアップや他の部品を取り付ける工程がなくなり、製造コストを削減し、製造期間を短縮して安価に多量生産できる。また、弦楽器本体にピックアップを必要としないので、図１の鎖線で示すように、従来のフロントピックアップの位置に指盤を配置することが可能になり、これにより、従来よりも大幅に高音域での演奏が可能になる。
【００１７】
さらにまた、本考案によるとステージ上で弦楽器本体を交換する際には、従来のようにケーブル部を差し替える必要がない。したがって、弦楽器本体の交換に係る手間を省略して時間を短縮でき、また、ケーブル部の差し替えに起因する大音量のノイズの発生を皆無にして、理想的なライブ演奏が実現できる。
【００１８】
さらに、ピックアップ部を使用者の手に装着するための装着具を備える電気弦楽器及びピックアップ装置によれば、演奏者は、装着具を介してピックアップ部を手に持ち、この手の位置を自由に移動させることで、ピックアップ部の位置や弦との間隔を自由に調整して最適な音を出力することができる。また、装着具を介してピックアップ部を手に固定できるので、演奏中にピックアップ部の位置がずれたり、外れて落下するのを有効に防止できる。
【００１９】
さらに、装着具をゴムバンドとする電気弦楽器及びピックアップ装置によれば、ゴムバンドを伸縮させることで、ピックアップ部を簡単かつ容易に、しかも外れないように手の定位置に装着することができる。また、装着具を脱着バンドとする電気弦楽器及びピックアップ装置によれば、ピックアップ部を簡単かつ容易に、しかも脱着自在に手の定位置に装着できる。さらにまた、装着具を固定部を有する手袋とする電気弦楽器及びピックアップ装置によれば、手袋を手に装着する状態で、固定部を介してピックアップ部を簡単に手の定位置に配置できる。また、ピックアップ部を目立たないように、外観よく手に装着することもできる。
【００２０】
さらにまた、本考案の請求項４の電気弦楽器によれば、弦楽器本体が、ピックアップ、ピックアップの切り替えスイッチ、トーンの調節ツマミ、ボリュームの調節ツマミ、ケーブル部の入力端子の挿入部のいずれか又は全てを含まないので、これらの部品の取付にかかるコストや工程を削減して、製造にかかる時間を短縮しながら、安価に多量生産できる。また、弦楽器本体の外観を、ピックアップや調節ツマミのないシンプルな意匠とし、あるいは既存の弦楽器では実現できない斬新な意匠にできる特徴がある。
【図面の簡単な説明】
【００２１】
【図１】本考案の一実施例に係る電気弦楽器の正面図である。
【図２】本考案の一実施例に係る電気弦楽器に使用するピックアップ装置の概略斜視図である。
【図３】本考案の一実施例に係る電気弦楽器に使用するピックアップ装置の断面図である。
【図４】本考案の一実施例に係る電気弦楽器の使用状態を示す側面図である。
【図５】本考案の他の実施例に係るピックアップ装置の断面図である。
【図６】装着具の他の一例を示す斜視図である。
【図７】装着具の他の一例を示す斜視図である。
【図８】従来のエレキギターの正面図である。
【考案を実施するための形態】
【００２２】
以下、本考案の実施の形態を図面に基づいて説明する。ただし、以下に示す実施の形態は、本考案の技術思想を具体化するための電気弦楽器及び電気弦楽器用のピックアップ装置を例示するものであって、本考案は電気弦楽器及びピックアップ装置を以下のものに特定しない。さらに、本明細書においては、実用新案登録請求の範囲を理解しやすいように、実施例に示される部材に対応する符号を、「実用新案登録請求の範囲」および「課題を解決するための手段」の欄に示される部材に付記している。ただ、実用新案登録請求の範囲に示される部材を、実施の形態の部材に特定するものでは決してない。特に実施の形態に記載されている構成部材の寸法、材質、形状、その相対的配置等は、特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに、以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２３】
本明細書において、電気弦楽器とは、金属弦の振動をピックアップで検出して電気信号に変換して出力する弦楽器であって、複数の金属弦を張設してなるエレクトリックギターやエレクトリックベース、さらには、ピックアップで弦の振動を検出可能なセミアコースティックギター等を含む広い意味で使用する。
【００２４】
本考案の実施の形態に係る電気弦楽器を図１に示す。この図に示す電気弦楽器は、複数の金属弦１２を張設してなる弦楽器本体１と、この弦楽器本体１と分離され、弦楽器本体１と独立して移動可能としたピックアップ部２と、ピックアップ部２に接続されたケーブル部３とを備えている。この電気弦楽器は、使用者がピックアップ部２を手に装着する状態で弦楽器本体１の弦１２を弾いて演奏し、さらに、弾かれた弦１２の振動をピックアップ部２で検出して外部に出力する。さらに、図の電気弦楽器は、ピックアップ部２を使用者の手に装着するための装着具４を備えており、ピックアップ部２とケーブル部３と装着具４とでピックアップ装置を構成している。
【００２５】
（弦楽器本体１）
弦楽器本体１は、一体的に連結されたボディー１０とネック１１で構成されており、ボディー１０から突出する状態でネック１１を固定している。ネック１１は、表面の長さ方向において、複数列のフレット１３を所定の間隔で設けており、この面を指盤１４としている。さらに、弦楽器本体１は、ネック１１の先端部に設けたナット１５とボディー１０の対向側に設けたブリッジ１６との間に複数の金属弦１２を所定の配列で張設している。
【００２６】
複数の金属弦１２は、磁性体金属からなる金属弦で、例えば鉄弦である。図１の弦楽器本体１は、金属弦を備える弦楽器の一例として、エレクトリックギター（通称エレキギター）１Ａを示している。ただ、本考案は、弦楽器本体をエレクトリックギターには限定しない。弦楽器本体には、弦として鉄弦等の金属弦を使用する他の全ての弦楽器が有効である。したがって、弦楽器本体として、エレクトリックギターやエレクトリックベースだけでなく、アコースティックギターも使用できる。ここで、アコースティックギターは、本来であれば弦の音を反響させる共鳴部をボディーに設けているが、本考案の弦楽器本体としてアコースティックギターを使用する場合においては、必ずしも共鳴部は必要ではない。
【００２７】
弦楽器本体１は、その種類に応じて所定の本数の金属弦１２を張設している。一般に、エレクトリックギターやアコースティックギター等のギター系の弦楽器の場合、６本の弦を備えている。ただ、ギター系の弦楽器における弦の本数は、６本には限定しない。ギター系の弦楽器本体は、１２本の弦を備える１２弦ギターとすることも、ダブルネックとして、各ネックに６本ずつ合計１２本の弦を備えることも、各ネックを６本と１２本として合計１８本の弦を備えることもできる。また、図示しないが、弦楽器本体をベース系の弦楽器とする場合は、４本の弦を備えることができる。ただ、ベース系の弦楽器における弦の本数も、４本には限定せず、４〜６本とすることもできる。
【００２８】
さらに、図１に示す弦楽器本体１は、ボディー１０の表面にピックガード１７を固定しているが、従来のように、ピックアップや切り替えスイッチ、トーンやボリュームの調節ツマミ、接続ケーブルに設けた入力端子の挿入部は設けていない。本考案の電気弦楽器は、ピックアップ部２を弦楽器本体１から分離しており、このピックアップ部２で弦の振動を検出して出力するので、弦楽器本体には、従来装備されていたこれ等の部材を必要としないからである。したがって、弦楽器本体１は、ピックアップ、ピックアップの切り替えスイッチ、トーンの調節ツマミ、ボリュームの調節ツマミ、接続ケーブルの入力端子の挿入部のいずれか又は全てを含まない構造とすることができる。このため、これ等の部品を設けるためのコストや手間を省略して製造コストを低減できる。また、弦楽器本体の外観を、ピックアップや調節ツマミのないシンプルな意匠とし、あるいは既存の弦楽器では実現できない斬新な意匠にできる特徴がある。
【００２９】
ただ、本考案は、弦楽器本体として既存のピックアップを備える弦楽器本体を使用することもできる。この場合、既存の弦楽器本体には、接続ケーブルを接続することなく、すなわち、既存のピックアップを使用することなく、本考案の分離されたピックアップ部を使用して音を出力することができる。ただ、既存のピックアップを備える弦楽器本体を使用する場合において、既存のピックアップからも音を出力することはできる。この場合、演奏中にピックアップを切り換えることで、より多彩な演奏が可能となる。例えば、バッキングとしてのストロークプレイ中においては、既存のピックアップで音を拾い、ソロプレイ時においては、本考案のピックアップ部２を用いて音を拾うことができる。
【００３０】
（ピックアップ部２）
ピックアップ部２は、金属弦１２の振動を検出し、電気信号として出力する。図１〜図３に示すピックアップ部２は、中心部に配置された磁石５とこの磁石５の周囲に配置されたコイル６とを備えている。このピックアップ部２は、磁石５の対向面５Ａと対向する位置に配置される金属弦１２の振動を電磁誘導による誘導電流として検出し、この誘導電流の変化を電気信号として出力する。
【００３１】
磁石５は、永久磁石であって、弦１２の振動を効率よく拾うために、磁力の強い磁石が使用される。このような磁石５として例えばネオジオ磁石が適している。ただ、磁石には、フェライト磁石やアルニコ磁石等の他の磁石も使用できる。ここで、磁力の強い磁石を使用すると、弦への磁界の影響が懸念されるが、図４に示すように、その使用状態において、弦１２との距離をとることで、弦１２に対する磁界の影響を無視できる。
【００３２】
図２に示す磁石５は円柱状としている。円柱状の磁石５は、外周面に沿って同心円状に金属線７を巻回してコイル６を設けることができ、弦１２の振動を効果的に検出できる特徴がある。ただ、磁石の形状は円柱状には特定せず、多角柱状とすることもできる。磁石５を円柱状とするピックアップ部２は、円柱状の磁石５の直径を小さくしてコイル６の内形を小さくすると、磁石５を安価にできると共に、コイル６の巻き数を多くしてピックアップの感度を高くできる。また、ピックアップ部２の径を小さくすることで指向性を向上できる。ただ、指向性が高いピックアップ部２は、ピンポイントで弦１２に接近させる必要があるので操作が難しくなる。これに対して、円柱状の磁石５の直径を大きくすると、弦１２の振動を検出する範囲を広くできるので、弦１２との位置関係を調整しやすくなるが、磁石５が大きくなって高価になると共に、コイル６の巻き数を多くするには金属線を長くする必要がありコストが高くなる。また、ピックアップ部２全体の外形が大きくなると手に装着し難くなる。したがって、これ等のことを考慮して、使用する磁石５の直径は、５ｍｍ〜４０ｍｍ、好ましくは、１０ｍｍ〜３０ｍｍとする。また、この磁石５の周りにコイル６を設けることにより製作されるピックアップ部２の外形は、１０ｍｍ〜５０ｍｍ、好ましくは１５ｍｍ〜３５ｍｍとなるようにする。
【００３３】
コイル６には、線径を０．０４ｍｍ〜０．１２ｍｍとする金属線７が使用できる。この金属線７は、表面を絶縁処理してなる被覆線で、例えばホルマル線やエナメル線が使用できる。ただ、被覆線はポリウレタン等の樹脂で被覆することもできる。コイル６は、金属線７の巻き数が多くなると感度が高くなって出力される音が大きくなる。ただ、巻き数を多くすると、前述のようにコストが高くなると共に外形が大きくなる。反対に、金属線７の巻き数を少なくすると、音をクリアにできるが、出力される音が小さくなる。したがって、これ等のことを考慮して、コイル６の巻き数は、５００〜８０００巻き、好ましくは１０００〜７０００巻きとする。例えば、コイルは、線径を０．０６ｍｍとする金属線を５０００〜６０００巻きとすることで、音質と音量を良好にできる。所定の巻き数に巻回された金属線７の両端部は、引出線としてコイル６から引き出される。これらの引出線は、２本のリード線８を介してケーブル部３に接続される。
【００３４】
図のピックアップ部２は、円柱状の磁石５の一方の面であって、対向面５Ａと反対側の面に支持プレート２０を固定しており、この支持プレート２１と平行に同心円状に金属線７を巻回してコイル６としている。このように磁石５の一端に支持プレート２０を固定することで、金属線７を巻回しやくできると共に、この支持プレート２０を介して、ピックアップ部２を手に装着しやすくできる。支持プレート２０は、プラスチック等の絶縁材からなる板材で、コイルの外形よりも大きな外形としている。支持プレートは金属板とすることもできる。
【００３５】
さらに、図３に示すピックアップ部２は、内蔵する磁石５及びコイル６を保護するために周囲を保護部材２１で被覆している。このような保護部材２１としてプラスチックケースやプラスチックシート等の絶縁材や布材が使用できる。なお、図２においては、ピックアップ部の構造をわかりやすくするために保護部材を省略している。
なお、ピックアップ部は、必ずしも支持プレートや保護部材を備える必要はなく、これ等を省略することもできる。
【００３６】
以上のピックアップ部は、図４に示すように、使用者の手４０に装着される状態で使用されるが、演奏時において、弦を弾く側の手４０は、必ずしも手のひら４１が弦楽器本体１の複数の弦１２に対して平行な姿勢になるとは限らず、図５に示すように、親指４２側が多少、弦楽器本体１の表面から離れる姿勢になりやすい。このため、図５に示すピックアップ部２は、支持プレート２０の裏側面であって、支持プレート２０と手のひら４１との間にスペーサ２６を設けている。このピックアップ部２は、支持プレート２０の裏側面に傾斜姿勢のスペーサ２６を設けることで、検出面２Ａを弦楽器本体１の複数の弦１２に対して平行に配置しやすくしている。図に示すスペーサ２６は、傾斜面を有するブロック状で、断面形状をくさび形としている。図のスペーサ２６は、手の親指４２側に肉厚部２６Ａを位置させて、親指４２側から反対側（図において下側）に向かって次第に薄くなるように傾斜させることで、検出面２Ａを弦楽器本体１の表面に対して平行に配置させている。ただ、スペーサは、必ずしも図に示す形状には特定せず、手のひらに装着されるピックアップ部の検出面を弦楽器本体の複数の弦に対して平行に配置できる他の全ての形状や構造とすることができる。
【００３７】
（ケーブル部３）
ケーブル部３は、２本のリード線８を介してピックアップ部２のコイル６の両端に接続されており、ピックアップ部２で検出した電気信号を外部機器に出力する。このケーブル部３には、通常シールドと呼ばれている同軸ケーブルが使用できる。同軸ケーブルであるケーブル部３は、網状のシールド線と芯線とにリード線８を介してコイル６が接続される。図に示すケーブル部３は、その一端に、２本のリード線８を介して、コイル６の両端が接続されている。これらのリード線８には、絶縁被覆されてなる導線が使用できる。さらに、ケーブル部３の他端には、接続用の入力端子３０が設けられている。この入力端子３０は、音楽機材用の端子として一般に使用されるピン端子が使用される。さらに、図示しないが、ケーブル部の２本のラインの内、アース側に接続されるラインをアースに接続することができる。この構造は、さらにノイズを低減できる特徴がある。例えば、ピックアップ部に接続される２本のリード線のうち、アース側に接続されるアース側リード線の芯線を露出させ、あるいはこれにアースラインを接続して、手に電気接続させることで簡易的にアースに接続することもできる。
【００３８】
（装着具４）
装着具４は、ピックアップ部２を使用者の手に固定するための部材であって、ピックアップ部２を手のひらの定位置に固定できる種々の部材が採用できる。このような装着具の例として、伸縮性を有するゴムバンドや着脱自在な脱着バンド、固定部を有する手袋等が使用できる。これ等の装着具について、以下に示す。
【００３９】
図２に示す装着具４は、ゴムバンド４Ａとしている。ゴムバンド４Ａである装着具４は、手のひらから甲にかけて押圧状態で被覆できる大きさと弾性を有するものが使用できる。図に示すゴムバンド４Ａは、帯状のゴムをリング状に連結している。このゴムバンド４Ａは、円形状の固定部２２を有しており、この固定部２２を介してピックアップ部２の支持プレート２０に固定している。固定部２２は、貫通穴２２Ａを開口しており、この貫通穴２２Ａにピックアップ部２の円柱状の検出部を挿通し、支持プレート２０を固定部２２の内面に密着させてピックアップ部２を定位置に連結している。この装着具４は、ピックアップ部２が使用者の手のひらの定位置に配置されるように、ゴムバンド４Ａを弾性的に伸縮させて、手のひらから甲にかけて装着する。
【００４０】
さらに、図６に示す装着具４は、脱着バンド４Ｂとしている。脱着バンド４Ｂである装着具４は、ピックアップ部２の支持プレート２０が固定される固定部２２を有する帯状のバンド部２３の両端部に脱着具２４を固定している。このような脱着具２４として、例えば、面ファスナーが使用できる。面ファスナーである脱着具２４は、脱着バンド４Ｂの一方の端部に凸面２４Ａを設けて、他端の端部に凹面２４Ｂを設けている。この装着具４は、使用者の手のひらの定位置にピックアップ部２を配置する状態で、脱着バンド４Ｂの両端部に設けた脱着具２４を手の甲側において連結して、ピックアップ部２が外れないように手に装着する。脱着バンド４Ｂに使用するバンド部２３は、布材等が使用できる。さらに、布材として多少伸縮性のあるものを使用することでより安定して装着できる。
【００４１】
さらに、図７に示す装着具４は、固定部２５を有する手袋４Ｃとしている。図に示す手袋４Ｃは、手のひらの定位置にピックアップ部２を配置するために、手袋４Ｃの手のひら部に固定部２５を設けている。図に示す固定部２５は、ピックアップ部２の円柱状の検出部を突出させる貫通孔としている。この手袋４Ｃは、手のひらに設けた貫通孔からピックアップ部２の円柱状の検出部を突出させると共に、支持プレート２０を手のひら部の内面側に配置することで、ピックアップ部２を手袋４Ｃの定位置に配置できるようにしている。このように、装着具４を手袋４Ｃとする構造は、手袋４Ｃを装着する状態で、ピックアップ部２を常に手のひらの定位置に配置できるので、極めて便利に装着できる特徴がある。また、手袋４Ｃを装着することで、ピックアップ部２を外部から隠す状態で装着でき、外観を良くできる特徴がある。図に示す手袋４Ｃは指先部分をカットしており、使用者が指先を手袋４Ｃのカット部分から突出させる状態で演奏できるようにしている。このように指先を露出させることで、指先の感覚を鈍らせることなく、繊細な演奏が可能となる。
【００４２】
また、図示しないが、手袋である装着具は、必ずしも貫通孔を設けて固定部とする必要はなく、面ファスナー等の脱着具を介して手袋の手のひら部にピックアップ部を脱着自在に固定することもできる。この構造は、例えば、手袋の手のひら部に面ファスナーの凹面を設け、ピックアップ部の支持プレートの裏面に面ファスナーの凸面を設けることで実現できる。この構造は、ピックアップ部２を簡単かつ容易に手袋の定位置に連結できる。とくに、手袋の凹面を広くすることで、ピックアップ部の装着位置を微調整しながら連結できる特徴がある。
【００４３】
なお、本考案は、装着具を以上の構造に限定するものではない。装着具には、ピックアップ部を手の定位置に配置できる他の全て構造が採用できるのは言うまでもない。
【００４４】
（使用例）
以上のピックアップ装置は、装着具４を介してピックアップ部２を手の定位置に装着する状態で、図４に示すようにして使用される。
ピックアップ部２は、図４に示すように、矢印Ａや矢印Ｂで示す方向に移動させることで、出力される音質を調整できる。すなわち、ピックアップ部２の検出面２Ａを、矢印Ａで示すように、弦１２のブリッジ１６側に移動させることで、出力される音を硬くてシャープな音とすることができる。反対に、ピックアップ部２の検出面２Ａを、矢印Ｂで示すように、弦１２のネック１１側に移動させることで、出力される音をソフトで甘い音とすることができる。このため、従来のようにトーンコントロールのツマミを操作したり、切り替えスイッチを操作して複数のピックアップを切り換えることなく、簡単かつ容易に音質を調整できる。このため、ひとつの曲を演奏中においても、ブリッジ１６に近い位置で弦１２を弾いて音を拾うと硬くてシャープな音になり、ブリッジ１６から遠い位置で弦１２を弾いて音を拾うとソフトで甘い音になる。すなわち、弦１２を弾く位置を調整することで任意の音色で演奏することが可能となる。とくに、本考案では、従来の電気弦楽器ではあり得ない位置、例えば、ネック１１の指盤１４上においても弦１２の音を検出することができる。このため、従来の弦楽器では出るはずのないような柔らかな音を作り出すことも可能となる。
【００４５】
また、このピックアップ装置は、ピックアップ部２を図４の矢印Ｃや矢印Ｄで示す方向に移動させることで、音量を調整できる。すなわち、ピックアップ部２の検出面２Ａを、矢印Ｃで示すように弦１２に接近させると音量が大きくなり、矢印Ｄで示すように弦１２から遠ざけると音量が小さくなる。このように、本考案では、使用者が弦１２とピックアップ部２との距離を任意で設定できるため、離せば小さい音、近づけると大きな音となって、使用者が音量を自由にコントロールすることが可能になる。このため、従来のようにボリュームツマミを操作したりフットペダルを操作することなく、簡単かつ容易に音量を調整できる。また、音の大小による細かなビブラートやバイオリン奏法も容易にでき、これにより高度で繊細な表現が可能になる。
【産業上の利用可能性】
【００４６】
本考案に係る電気弦楽器及び電気弦楽器用のピックアップ装置では、音の変化を自由に付けることができるので、従来の弦楽器では実現できない新たな演奏や音質の変化が実現できる。
【符号の説明】
【００４７】
１…弦楽器本体
１Ａ…エレクトリックギター
２…ピックアップ部
２Ａ…検出面
３…接続ケーブル
４…装着具
４Ａ…ゴムバンド
４Ｂ…脱着バンド
４Ｃ…手袋
５…磁石
５Ａ…対向面
６…コイル
７…金属線
８…リード線
１０…ボディー
１１…ネック
１２…弦
１３…フレット
１４…指盤
１５…ナット
１６…ブリッジ
１７…ピックガード
２０…支持プレート
２１…保護部材
２２…固定部
２２Ａ…貫通穴
２３…バンド部
２４…脱着具
２４Ａ…凸面
２４Ｂ…凹面
２５…固定部
２６…スペーサ
２６Ａ…肉厚部
３０…入力端子
４０…手
４１…手のひら
４２…親指
８０…エレクトリックギター
８２…ピックアップ
９０…ボディー
９１…ネック
９２…弦
９５…ナット
９６…ブリッジ
９８…切り替えスイッチ
９９…調節ツマミ
【図１】
0003190159.tif 000003
【図２】
0003190159.tif 000004
【図３】
0003190159.tif 000005
【図４】
0003190159.tif 000006
【図５】
0003190159.tif 000007
【図６】
0003190159.tif 000008
【図７】
0003190159.tif 000009
【図８】
0003190159.tif 000010